(57)【要約】【課題】パソコンのタワーを机の下に設置して使用した場合、タワーのケースカバーを取り外して作業を行う場合、そのままの状態では、ケースカバーを取り外す事が困難であるので、机の下より手前に引き出そうとすると、その背部に接続されている各種の転送ケーブル類が絡んでその移動を阻害するので、タワーの後部に接続した多数のケーブル類にストレスを与えることなく、タワーを出し入れする事を可能とした机を提供する。【解決手段】机本体１の、右側板１Ａ、又は、左側板２Ａの内側面とその手前の木口面に接する垂直辺部付近に、回転板３Ａを、垂直回転軸を有する蝶番３Ｂにて回転自在に蝶着し、更に、タワーを載置する為の棚板４Ａを突設して回転移送台３を構成する。【構成】【選択図】図１
2005111207.tif 000002
【特許請求の範囲】
【請求項１】
机の右側板、または左側板の内側面とその手前の木口面が接する垂直辺部付近に、側板と平行な面を有する回転板の、側板に近い側の面と手前の木口面が接する垂直辺を、垂直回転軸を有する蝶番にて回転自在に蝶着する。回転板の、蝶着した側板から遠い側の面に、パーソナルコンピューターの本体等のＯＡ機器を載置する為の棚板を突設して回転移送台を構成する。棚板の下面で、蝶番から最も離れた位置より下方にキャスターを設ける。回転板の、蝶番を設けた辺に接する木口に対向する木口に、回転板が不用意に回転する事を止める為の係止具を側板に向かって設け、更に、その係止具に対向する位置の側板の面に受け座金を設ける事を特徴とする机。
【請求項２】
枠状の右側板、または左側板に陥入する形状を有する回転板を、側板に陥入した状態で、側板の内側面の最も手前側の面と、回転板においては側板の内側面と同一面の、最も手前側の面、の其々を、垂直回転軸を有する蝶番にて回転自在に蝶着する。回転板の内側面に、パーソナルコンピューターの本体等のＯＡ機器を載置する為の棚板を突設して、回転移送台を構成する。棚板の下面で、蝶番から最も離れた位置より下方にキャスターを設ける。回転板に突設した棚板の、蝶番より最も離れた位置に回転板が不用意に回転する事を止める為の係止具を側板に向かって、且つ側板に接するように設け、更に、その係止具に対向する位置の側板の面に受け座金を設ける事を特徴とする机。
【請求項３】
前記回転移送台に載置したパーソナルコンピューターの本体等のＯＡ機器の後面に差し込んだ転送ケーブルジャックのほぼ真上の回転板上部内側面にケーブル類が挿通するホールド孔を有するホルダーを設ける。回転移送台を側板に係止した状態から、係止を解除して蝶着部を回転軸として略９０度回転させてホールド孔が描く円弧の軌跡上で、略中間点の真上にあたる位置の下板にケーブル類が挿通する長孔を設ける。下板の上部に収納スペースを設け、更に、天板の上に載置するディスプレイ等の機材に干渉しない適当な位置に挿通孔を設ける。更に、収納スペースの後面にも挿通孔を設けた事を特徴とする請求項１、又は請求項２に記載の机。
【請求項４】
前記回転移送台の蝶着部の略真上の回転板上部側面に、ケーブルホルダーを設け、その略真上の下板にケーブル類が挿通する孔を設ける。下板の上部に収納スペースを設け、更に、天板の上に載置するディスプレイ等の機材に干渉しない適当な位置に挿通孔を設ける。更に、収納スペースの後面にも挿通孔を設けた事を特徴とする請求項１、又は請求項２に記載の机。
【請求項５】
机本体の上部に天板の固定部を取り付け、天板の可動部と机本体をスライドレールにて連結し開閉可能に取り付ける事を特徴とする請求項１、又は請求項２に記載の机。
【発明の詳細な説明】
【発明の詳細な説明】
【技術分野】
【０００１】本発明は、主にパーソナルコンピューター（以下、パソコンと称する）を搭載して使用する為の机に関するもので、天板上の空間を有効に利用するために、天板の下部空間にパソコンの本体（以下、タワーと称する）を収納し、しかも、タワーの後部に接続した多数のケーブル類にストレスを与えることなく、タワーを出し入れする事を可能とした机に関する。
【背景技術】
【０００２】従来、パソコンの本体であるタワーはシステ厶の中枢であり、普及しはじめた初期のころは、その重要さゆえに机の上に載置されていたが、やがて、普及と共に様々な環境の中で使用される様になって来た。例えば、使用者によっては、机の上の空間を最大限に利用したいので余分な物は置きたくない、との欲求がある。しかし、机の上にはインターフェイスとしてディスプレイやキーボードなどが必要であり、通常の使用ではタワーはその前面に配置されたコンパクトディスク（以下ＣＤと称する）や、フロッピーディスク（以下ＦＤと称する）などのスロットを使用するぐらいで殆ど手をかける事がない。従って、その存在は邪魔ですらあった。前記の理由により、パソコンの本体であるタワー（以下、タワーと称する）を机の下に設置される方法がとられるようになってきた。
【発明が解決しようとする課題】
【０００３】しかし、前述の如くタワーを机の下に設置して使用した場合、新たな弊害が発生した。即ち、パソコンを通常使用している状態では何等問題はないが、様々の理由によりひとたびタワーに手をかけなければならなくなった場合、例えば、何らかのトラブルによりタワーのケースカバーを取り外してのメンテナンスや、必要に応じてのシステム増設などの作業を行う場合、等である。
【０００４】タワーは机の下に設置されているので、そのままの状態では、ケースカバーを取り外す事が困難であり、更に、ケースカバーを取り外すのに必要な空間をタワーの周囲に確保する為にタワーを机の下より手前に引き出そうとすると、その殆どがタワーの背部に配置、接続されている電源コードを始め各種の転送ケーブル類が絡んでタワーの移動を阻害する可能性が発生する。更に、無理に引き出そうとするとケーブル類にストレスが加わり最悪の場合断線事故にもなりかねないのでケーブル類を抜き取った後にタワーを引き出さなければならない場合もあるので大変不便である。
【０００５】本発明は、以上のような問題を解決する為になされたもので、机の天板上の空間を有効に利用するために、天板の下部空間にタワーを収納し、しかも、タワーの後部に接続した多数のケーブル類にストレスを与えることなく、タワーを出し入れする事を可能とした机に関する。
【課題を解決するための手段】
【０００６】机の右側板、または左側板の内側面とその手前の木口面が接する垂直辺部付近に、側板と平行な面を有する回転板の、側板に近い側の面と手前の木口面が接する垂直辺を、垂直回転軸を有する蝶番にて回転自在に蝶着する。回転板の、蝶着した側板から遠い側の面に、パーソナルコンピューター（以下、パソコンと称する）の本体（以下、タワーと称する）等のＯＡ機器を載置する為の棚板を突設して回転移送台を構成する。棚板の下面で、蝶番から最も離れた位置より下方にキャスターを設ける。回転板の、蝶番を設けた辺に接する木口に対向する木口に、回転板が不用意に回転する事を止める為の係止具を側板に向かって設け、更に、その係止具に対向する位置の側板の面に受け座金を設ける事を特徴とする。
【０００７】又は、枠状の右側板、または左側板に陥入する形状を有する回転板を、側板に陥入した状態で、側板の内側面の最も手前側の面と、回転板においては側板の内側面と同一面の、最も手前側の面、の其々を、垂直回転軸を有する蝶番にて回転自在に蝶着する。回転板の内側面に、ＯＡ機器を載置する為の棚板を突設して、回転移送台を構成する。棚板の下面で、蝶番から最も離れた位置より下方にキャスターを設ける。回転板に突設した棚板の、蝶番より最も離れた位置に回転板が不用意に回転する事を止める為の係止具を側板に向かって、且つ側板に接するように設け、更に、その係止具に対向する位置の側板の面に受け座金を設ける事を特徴とする。
【０００８】更に、前記回転移送台に載置したタワーの後面に差し込んだ転送ケーブルジャックのほぼ真上の回転板上部内側面にケーブル類が挿通するホールド孔を有するホルダーを設ける。回転移送台を側板に係止した状態から、係止を解除して蝶着部を回転軸として略９０度回転させてホールド孔が描く円弧の軌跡上で、略中間点の真上にあたる位置の下板にケーブル類が挿通する長孔を設ける。下板の上部に収納スペースを設け、更に、天板の上に載置するディスプレイ等の機材に干渉しない適当な位置に挿通孔を設ける。更に、収納スペースの後面にも挿通孔を設けた事を特徴とする。
【０００９】更に、前記回転移送台の蝶着部の略真上の回転板上部側面に、ケーブルホルダーを設け、その略真上の下板にケーブル類が挿通する孔を設ける。下板の上部に収納スペースを設け、更に、天板の上に載置するディスプレイ等の機材に干渉しない適当な位置に挿通孔を設ける。更に、収納スペースの後面にも挿通孔を設けた事を特徴とする。
【００１０】更に、机本体の上部に天板の固定部を取り付け、天板の可動部と机本体をスライドレールにて連結し開閉可能に取り付ける事を特徴とする。
【発明を実施するための最良の形態】
【００１１】以下、図面を参照しながら本発明の実施形態について詳しく説明する。【００１２】本発明にかかる机の要部は図１に示すように、机本体１と、回転自在に取り付けた回転移送台３による構成からなる。以下、詳細を説明する。【００１３】図１は、（実施例１）において、主に右側板１Ａ、左側板２Ａ、回転板３Ａ、棚板４Ａ、下板５Ａ、天板の固定部６Ａ、天板の可動部６Ｂ、の組み合わせからなり、右側板１Ａ、又は、左側板２Ａの内側面とその手前の木口面が接する垂直辺部付近に、回転板３Ａを、垂直回転軸を有する蝶番３Ｂにて回転自在に蝶着し、更に、タワーを載置する為の棚板４Ａを突設して回転移送台３を構成する。棚板４Ａは、載置するタワーの平面投影面と略同じ寸法か、やや大きめでもよい。棚板４Ａの下面で、蝶番３Ｂから最も離れた位置より下方にキャスター４Ｂを設ける。載置したタワーの後面に差し込んだ転送ケーブルジャックのほぼ真上の回転板上部内側面にケーブル類が挿通するホールド孔３Ｅを有するホルダー３Ｆを設ける。回転移送台３の蝶着部３ｂの略真上の回転板上部側面に、ケーブルホルダー３Ｇを設ける。天板の可動部６Ｂにスライドレール６Ｃを取り付け、更に、他方の取り付け部６Ｄを机本体１に取り付け、天板の可動部６Ｂを摺動自在に取り付けて構成する。【００１４】図２は（実施例１）における係止具３Ｃの、回転板３Ａへの取り付け例であり、回転板３Ａの、蝶番３Ｂを設けた辺に接する木口に対向する木口に、回転板が不用意に回転する事を止める為の係止具３Ｃを側板に向かって設け、更に、その係止具３Ｃに対向する位置の側板の面に受け座金３Ｄを設ける例を示す。【００１５】尚、（実施例１）で、回転板３Ａの右側板１Ａへの取り付け例を示しているのは、本発明を説明する為に用いたもので、本発明の実施は、右側板１Ａのみへの取り付けに限定するものではなく、例えば、左側板２Ａへの取り付け、又は、左右両側板への取り付けを実施した場合であっても効果は充分である。【００１６】更に、係止具３Ｃ及び、受け座金３Ｄは、マグネット式の取り付け例を示しているが、本発明を説明するために用いたもので、たとえば、ローラーキャッチ等、他の手段を採用しても何等問題はない。【００１７】図３は、（実施例１）の机本体１を構成する下板５Ａを下方より示したもので、下板５Ａには、其々ケーブル類が挿通する長孔５Ｂ、及び、回転板３Ａの側板への蝶着部３ｂの略真上になる部位にケーブル類を引き込む挿通孔５Ｃを穿孔した例、及び、回転移送台３を示す。又、回転移送台３を回転させて、回転板３Ａに穿孔したホールド孔３Ｅが描く軌跡を破線にて示す。【００１８】尚、（実施例１）で、回転移送台３を右側板１Ａに取り付けた例に従ってケーブル類が挿通する長孔５Ｂ、及び、回転板３Ａの側板への蝶着部３Ｂの略真上になる部位に、ケーブル類を引き込む挿通孔５Ｃ、を穿孔した例、及び、回転移送台３を示し、回転移送台３を回転させて、回転板３Ａに穿孔したホールド孔３Ｅが描く軌跡を破線にて示したのは、本発明を説明するために用いたもので、本発明の実施は、右側板１Ａのみへの取り付けに限定するものではなく、例えば、各孔の位置関係は、回転移送台３を左側板２Ａに取り付けた場合には左右反対となり、更に、左右両側板に取り付けた場合には、左右の回転移送台３に対応して決定する。【００１９】図４は、（実施例１）において、机本体１を構成する天板の固定部６Ａに載置したディスプレイ６の後方に挿通孔６Ｅを穿孔した例を後方より示す。【００２０】尚、（実施例１）で、机本体１を構成する天板の固定部６Ａに載置したディスプレイ６の後方に挿通孔６Ｅを穿孔した例を示したのは、本発明を説明するために用いたもので、本発明の実施は、ディスプレイ６の後方にのみ挿通孔６Ｅを穿孔するものではなく、任意の位置を選択しても何等問題はない。更に、挿通孔６Ｅは円形に限定するものではなく、任意の形状を採用できる。適当な形状を選択すれば、コネクターや、ハブ等を陥入することも可能であり、何等問題はない。更に、挿通孔６Ｅを穿孔する数は、１箇所に限定するものではなく、２箇所以上穿孔しても何等問題はない。【００２１】図５は、（実施例１）において、机本体１を構成する天板の固定部６Ａの下部に設けたケーブルの収納スペース１Ｂ及びその後面、即ち机本体１の後面に設けた挿通孔１Ｃを示す。尚、挿通孔１Ｃは円形に限定するものではなく、任意の形状を採用できる。適当な形状を選択すれば、コネクターや、ハブ等を陥入することも可能であり、何等問題はない。更に、挿通孔１Ｃを穿孔する数は、１箇所に限定するものではなく、２箇所以上穿孔しても何等問題はない。【００２２】図６は、（実施例２）において、主に右側板１Ａ、左側板２Ａ、回転板３Ａ、棚板４Ａ、下板５Ａ、天板の固定部６Ａ、天板の可動部６Ｂ、の組み合わせからなり、枠状の右側板１Ａ、または左側板２Ａに陥入する形状を有する回転板３Ａを、側板に陥入した状態で、側板の内側面の最も手前側の面と、回転板３Ａにおいては側板の内側面と同一面の、最も手前側の面、の其々を、垂直回転軸を有する蝶番３Ｂにて回転自在に蝶着する。回転板３Ａの内側面に、タワーを載置する為の棚板４Ａを突設して回転移送台３を構成する。棚板４Ａは、載置するタワーの平面投影面と略同じ寸法か、やや大きめでもよい。棚板の下面で、蝶番から最も離れた位置より下方にキャスター４Ｂを設ける。載置したタワーの後面に差し込んだ転送ケーブルジャックのほぼ真上の回転板上部内側面にケーブル類が挿通するホールド孔３Ｅを有するホルダー３Ｆを設ける。天板の可動部６Ｂにスライドレール６Ｃを取り付け、更に、他方の取り付け部６Ｄを机本体１に取り付け、天板の可動部６Ｂを摺動自在に取り付けて構成する。
【発明の効果】
【００２３】本発明は以上説明したように構成した結果、以下に示すような効果が得られる。
【００２４】机の右側板、又は左側板に、回転自在に回転移送台を蝶着して設け、通常はそれにタワーを載置して、机の下部に収納、係止して使用するが、システムの変更、又は、メンテナンス等の為にタワーの周辺に空間を確保する手段として手前に移動する際には、回転移送台の係止を解除し、略９０度回転させることでタワーを露出する。回転移送台の、蝶着部から最も離れた位置に棚板から下方にキャスターを設けているので円滑な操作が可能である。
【００２５】請求項３によれば、この時、下板の下方において回転板上部側面に設けたホールド孔が円弧の軌跡を描くが、その軌跡の略中間の位置にケーブル類を引き込む長孔を下板に設けている。タワーに接続した多数のケーブル類は、ホールド孔を一旦挿通する事によりまとめられ、長孔に引き込まれるが、回転移送台を係止した状態で、或いは、略９０度回転した状態で、長孔までの長さを確保しているのでケーブル類に架かるストレスは極めて少ない。又、長孔より引き込んだケーブル類は収納スペース内に余分を収納し、天板に設けた挿通孔を挿通して、外部の機器に接続されるので、余分のケーブル類が絡まりあったり、又は、作業中にひっかかったり等の、様々のトラブルが減少する。尚、天板に設ける挿通孔は、円形に限定するものではなく、任意の形状を採用できる。適当な形状を選択すれば、コネクターや、ハブ等を陥入することも可能である。
【００２６】又、請求項４によれば、回転移送台の回転軸付近の回転板上部側面にケーブルホルダーを設け、その略真上の下板にケーブル類を引き込む挿通孔を設けている。タワーに接続した多数のケーブル類は、ケーブルホルダーによって一旦まとめられ、その真上の下板の挿通孔に引き込むので、回転移送台を回転させても、その回転軸に近接してケーブル類が配される為、ケーブル類に架かるストレスは極めて少ない。
【００２７】更に、挿通孔より引き込んだケーブル類は収納スペース内に余分を収納し、机本体の後面に設けた挿通孔を挿通して外部へ引き出され、隣接した他の机へ、或いは、電源へ、又或いはＬＡＮケーブルであればサーバーへ、と接続されるので、余分のケーブル類が絡まりあっての、様々のトラブルの原因となる可能性が軽減される。何よりも、床上に余分のケーブル類が散乱しないので、同フロアー内における作業環境の向上をも可能とした。
尚、机本体の後面に設ける挿通孔は、円形に限定するものではなく、任意の形状を採用できる。適当な形状を選択すれば、コネクターや、ハブ等を陥入することも可能である。
【００２８】更に、請求項５によれば、天板の可動部をスライドレールにて机本体に摺動自在に取り付け、机の天板の下に設けた収納スペース上面を開閉可能とする。通常は、天板の可動部を閉止して使用するが、ケーブル類を管理する場合は、天板の可動部を手前にスライドして、収納スペース上面を開放し、収納した余分の各種ケーブル類を管理する。例えば、各種ケーブル類のハブへの接続、又は、延長ケーブルへの接続、等であるが、接続部を収納スペース内に収めるので、不用意な断線や、床上に放置した場合の躓き等のトラブルを未然に防ぐことができる。又更に、上記の収納スペースには、その他に、例えば、外付けハードディスクドライブや、各種の周辺機材をも収納することが可能である。
【図面の簡単な説明】
【図１】本発明の（実施例１）の要部を示す斜視図
【図２】本発明（実施例１）にかかる机本体１と回転移送台３を蝶番３Ｂによって蝶着した状態と、係止具３Ｃと受け座金３Ｄの取り付け状態を示す斜視図
【図３】本発明の（実施例１）の要部を下方より示す斜視図
【図４】本発明の（実施例１）を後方より示す斜視図
【図５】本発明の（実施例１）の天板の可動部６Ｂを取り外した状態の斜視図
【図６】本発明の（実施例２）の要部を示す斜視図
【符号の説明】
１    机本体
１Ａ  右側板
１Ｂ  収納スペース
１Ｃ  挿通孔
２Ａ  左側板
３    回転移送台
３Ａ  回転板
３Ｂ  蝶番
３ｂ  蝶着部
３Ｃ  係止具
３Ｄ  受け座金
３Ｅ  ホールド孔
３Ｆ  ホルダー
３Ｇ  ケーブルホルダー
４Ａ  棚板
４Ｂ  キャスター
５Ａ  下板
５Ｂ  長孔
５Ｃ  挿通孔
６    ディスプレイ
６Ａ  天板の固定部
６Ｂ  天板の可動部
６Ｃ  スライドレール
６Ｄ  他方の取り付け部
６Ｅ  挿通孔
【図１】
2005111207.tif 000003
【図２】
2005111207.tif 000004
【図３】
2005111207.tif 000005
【図４】
2005111207.tif 000006
【図５】
2005111207.tif 000007
【図６】
2005111207.tif 000008